(57)【特許請求の範囲】
【請求項１】
同心円状の複数のリングと放射状の縦線を用いてカップ状に形成され、モータが取り付けられる複数本のモータ取付足が設けられている換気扇に着脱自在に設置される換気扇用保護ガードであって、
前記換気扇用保護ガードは、
その外周部に前記各モータ取付足との干渉を回避するために形成されている複数の開放部と、
前記各開放部の前記換気扇用保護ガード中心側に設けられ、該開放部を挟んで隣接する縦線を接続した第１つき当て棒と、
前記第１つき当て棒よりも前記換気扇用保護ガードの中心側に設けられ、前記第１つき当て棒が接続されている縦線のうちの一方とその縦線に隣接する縦線とを接続した第２つき当て棒と、
２カ所の引っ掛け部が形成され、一方の引っ掛け部で前記モータ取付足の一部を引っ掛け、他方の引っ掛け部で前記第１つき当て棒又は前記第２つき当て棒のいずれかの一部を引っ掛けることで、前記第１つき当て棒又は前記第２つき当て棒と前記モータ取付足とを接合させて固定する固定金具と、を備え、
前記開放部と前記第２つき当て棒とまでが１つのつながった空間を形成する
ことを特徴とする換気扇用保護ガード。
【請求項２】
同心円状の複数のリングと放射状の縦線を用いてカップ状に形成され、モータが取り付けられる複数本のモータ取付足が設けられている換気扇に着脱自在に設置される換気扇用保護ガードであって、
前記換気扇用保護ガードは、
その外周部に前記各モータ取付足との干渉を回避するために形成されている複数の開放部と、
前記各開放部の前記換気扇用保護ガード中心側に設けられ、該開放部を挟んで隣接する縦線を接続した第１つき当て棒と、
前記第１つき当て棒よりも前記換気扇用保護ガードの中心側に設けられ、前記第１つき当て棒が接続されている縦線のうちの一方とその縦線に隣接する縦線とを接続した第２つき当て棒と、
２カ所の引っ掛け部が形成され、一方の引っ掛け部で前記モータ取付足の一部を引っ掛け、他方の引っ掛け部で前記第１つき当て棒又は前記第２つき当て棒のいずれかの一部を引っ掛けることで、前記第１つき当て棒又は前記第２つき当て棒と前記モータ取付足とを接合させて固定する固定金具と、を備え、
前記第１つき当て棒及び前記第２つき当て棒は、
１本の線材を階段状に折り曲げて形成されている
ことを特徴とする換気扇用保護ガード。
【請求項３】
前記第１つき当て棒又は前記第２つき当て棒は、
前記リングに兼用させている
ことを特徴とする請求項１に記載の換気扇用保護ガード。
【請求項４】
同心円状の複数のリングと放射状の縦線を用いてカップ状に形成され、モータが取り付けられる複数本のモータ取付足が設けられている換気扇に着脱自在に設置される換気扇用保護ガードであって、
前記換気扇用保護ガードは、
その外周部に前記各モータ取付足との干渉を回避するために形成されている複数の開放部と、
前記各開放部の前記換気扇用保護ガードの中心側に設けられ、該開放部を挟んで隣接する縦線を接続したつき当て棒と、
前記モータ取付足に固定され、前記つき当て棒の位置を調整する固定プレートと、
２カ所の引っ掛け部が形成され、一方の引っ掛け部で前記モータ取付足の一部を引っ掛け、他方の引っ掛け部で前記つき当て棒の一部を引っ掛けることで、前記つき当て棒と前記モータ取付足とを接合させて固定する固定金具と、を備え、
前記固定プレートは前記つき当て棒と接触することで前記つき当て棒の位置を調整する
ことを特徴とする換気扇用保護ガード。
【請求項５】
前記固定金具は、
鉄又はステンレスで構成された一本の線材によって形成されている
ことを特徴とする請求項１〜４のいずれか一項に記載の換気扇用保護ガード。
【請求項６】
請求項１〜５の換気扇用保護ガードが着脱自在に設置される
ことを特徴とする換気扇。
【発明の詳細な説明】
【技術分野】
【０００１】
本発明は、換気扇用保護ガードおよび換気扇用保護ガードを備えた換気扇に関するものである。
【背景技術】
【０００２】
一般に産業用や業務用の換気扇は、壁面に取り付けるための角型の外枠を備え、その外枠の中央部に円筒形のフランジをもつ構造が採用されている。そのフランジ中心軸上にモータが配置される。モータは、モータ取付足を備えたモータ固定台で外枠に固定される。モータのシャフト先端には羽根が連結されている。そして、モータを介して羽根を回転させることでフランジ内に風を送り、必要静圧を確保しつつ送風を行なうことができる構造となっている。この種の換気扇には保護ガードを備えたものもある。この換気扇用保護ガードは鋼線やステンレス線をカップ状に曲げた構造をもち、取付金具により換気扇のモータ取付足に固定される。
【０００３】
そのようなものとして、最外周部を形成する外周リングと数個の内周リングとを放射状の多数の縦線で、同心上に連結したカップとして、鋼線やステンレス線などの線材により構成された換気扇用保護ガードが開示されている（たとえば、特許文献１参照）。特許文献１に記載の換気扇用保護ガードは、外周リング及び内周リングと各縦線との交叉部を溶接などで結合している。この換気扇用保護ガードは、線材を曲げた取り付け金具によりモータ取付足に固定される。特許文献１では、このような構造を採用することによって、低コストかつ簡単な構造で保護ガードを得ることができる。
【先行技術文献】
【特許文献】
【０００４】
【特許文献１】特開平８−３１９９８８号公報（図１〜図４など）
【発明の概要】
【発明が解決しようとする課題】
【０００５】
しかし、特許文献１に記載されているような形状の換気扇用保護ガードでは、フランジ径が同じであるが、モータ外径、ブラケット高さの異なる換気扇については共通の換気扇用保護ガードとして使用することができない。これに対して、換気扇用保護ガードの中央開放部をモータ外径最大機種に合わせて設定して、モータと換気扇用保護ガードの干渉を避けるという方法が考えられる。しかしながら、モータ外径が小さな機種に、このような換気扇用保護ガードを使用した場合、モータと換気扇用保護ガードとの間に隙間があいて、ガード本来の機能が果たせなくなってしまう。
【０００６】
また、換気扇用保護ガードの高さをモータブラケット高さ最大機種に合わせて設定して、モータと保護ガードの干渉を避ける方法も考えられる。しかしながら、モータブラケット高さが低い換気扇にこのような換気扇用保護ガードを取り付けた場合、換気扇より換気扇用保護ガードの方が上に飛び出ることになり、壁面に設置したとき周辺設備と干渉する可能性がある。これらの理由から、モータ外径、高さ毎に換気扇用保護ガードを製作する必要があり、製造コストの増大、類似の保護ガードの見分けがつきにくく間違えてしまうといった課題があった。
【０００７】
本発明は、上記のような課題を解決するためになされたもので、低コストかつ簡単な構造でモータ外径、高さの異なる換気扇にも共通で使用できる換気扇用保護ガード、及びこの換気扇用保護ガードを備えた換気扇を提供することを目的としている。
【課題を解決するための手段】
【０００８】
本発明に係る換気扇用保護ガードは、同心円状の複数のリングと放射状の縦線を用いてカップ状に形成され、モータが取り付けられる複数本のモータ取付足が設けられている換気扇に着脱自在に設置される換気扇用保護ガードであって、前記換気扇用保護ガードは、その外周部に前記各モータ取付足との干渉を回避するために形成されている複数の開放部と、前記各開放部の前記換気扇用保護ガード中心側に設けられ、該開放部を挟んで隣接する縦線を接続した第１つき当て棒と、前記第１つき当て棒よりも前記換気扇用保護ガードの中心側に設けられ、前記第１つき当て棒が接続されている縦線のうちの一方とその縦線に隣接する縦線とを接続した第２つき当て棒と、２カ所の引っ掛け部が形成され、一方の引っ掛け部で前記モータ取付足の一部を引っ掛け、他方の引っ掛け部で前記第１つき当て棒又は前記第２つき当て棒のいずれかの一部を引っ掛けることで、前記第１つき当て棒又は前記第２つき当て棒と前記モータ取付足とを接合させて固定する固定金具と、を備え、前記開放部と前記第２つき当て棒とまでが１つのつながった空間を形成するものである。
【０００９】
本発明に係る換気扇用保護ガードは、同心円状の複数のリングと放射状の縦線を用いてカップ状に形成され、モータが取り付けられる複数本のモータ取付足が設けられている換気扇に着脱自在に設置される換気扇用保護ガードであって、前記換気扇用保護ガードは、その外周部に前記各モータ取付足との干渉を回避するために形成されている複数の開放部と、前記各開放部の前記換気扇用保護ガードの中心側に設けられ、該開放部を挟んで隣接する縦線を接続したつき当て棒と、前記モータ取付足に固定され、前記つき当て棒の位置を調整する固定プレートと、２カ所の引っ掛け部が形成され、一方の引っ掛け部で前記モータ取付足の一部を引っ掛け、他方の引っ掛け部で前記つき当て棒の一部を引っ掛けることで、前記つき当て棒と前記モータ取付足とを接合させて固定する固定金具と、を備え、前記固定プレートは前記つき当て棒と接触することで前記つき当て棒の位置を調整するものである。
【００１０】
本発明に係る換気扇は、上記の換気扇用保護ガードが着脱自在に設置されるものである。
【発明の効果】
【００１１】
本発明に係る換気扇用保護ガードによれば、低コストかつ簡単な構造でモータ外径、高さの異なる換気扇に共通して使用することが可能になる。
【００１２】
本発明に係る換気扇によれば、コストの高騰を招くことなく、簡便に換気扇用保護ガードの取付作業が実行できる。
【図面の簡単な説明】
【００１３】
【図１】本発明の実施の形態１に係る換気扇用保護ガードの構成を示す斜視図である。
【図２】本発明の実施の形態１に係る換気扇用保護ガードが取り付けられる換気扇の構成を示す正面図である。
【図３】本発明の実施の形態１に係る換気扇用保護ガードが取り付けられる換気扇の構成を示す側面図である。
【図４】本発明の実施の形態１に係る換気扇用保護ガードを取り付けた換気扇を示す正面図である。
【図５】本発明の実施の形態１に係る換気扇用保護ガードを取り付けた換気扇を示す側面図である。
【図６】本発明の実施の形態１に係る換気扇用保護ガードの固定金具の構成を示す詳細図である。
【図７】本発明の実施の形態１に係る換気扇用保護ガードを固定金具を用いて換気扇に固定した状態を示す部分詳細図である。
【図８】本発明の実施の形態１に係る換気扇用保護ガードをモータ外径・高さが大きな換気扇へ取り付けている状態を示す側面図である。
【図９】本発明の実施の形態１に係る換気扇用保護ガードを固定金具を用いてモータ外径・高さの大きな換気扇に固定した状態を示す部分詳細図である。
【図１０】従来の換気扇用保護ガードを取り付けた換気扇を示す側面図である。
【図１１】本発明の実施の形態２に係る換気扇用保護ガードを説明するための部分詳細図である。
【図１２】本発明の実施の形態３に係る換気扇用保護ガードを説明するための部分詳細図である。
【図１３】本発明の実施の形態４に係る換気扇用保護ガードの取り付けの一例を説明するための詳細図である。
【図１４】本発明の実施の形態４に係る換気扇用保護ガードの取り付けの一例を説明するための詳細図である。
【発明を実施するための形態】
【００１４】
以下、本発明の実施の形態を図面に基づいて説明する。
実施の形態１．
図１は、本発明の実施の形態１に係る換気扇用保護ガード１の構成を示す斜視図である。図２は、換気扇用保護ガード１が取り付けられる換気扇Ａの構成を示す正面図である。図３は、換気扇用保護ガード１が取り付けられる換気扇Ａの構成を示す側面図である。図１〜図３に基づいて、換気扇用保護ガード１、換気扇Ａの構成について説明する。なお、以下の説明では、換気扇用保護ガード１を、単に保護ガード１と称するものとしている。
【００１５】
保護ガード１は、換気扇Ａを保護する機能を有し、鋼線やステンレス線を篭形のカップ状に曲げた構造をもち、固定金具１７により換気扇Ａのモータ取付足１５に着脱可能に取り付けられるものである。また、換気扇Ａは、建物の壁面などに取り付けられ、建物内部の空気と建物外部の空気との入れ替えを行う機能を有している。なお、図１を含め、以下の図面では各構成部材の大きさの関係が実際のものとは異なる場合がある。また、各図においては、同一の符号を付したものは、同一の又はこれに相当するものであり、これは明細書の全文において共通している。
【００１６】
図２及び図３に示すように、換気扇Ａは、壁面に固定するための角型の外枠１０と、外枠１０の中央部に配置された円筒形のフランジ１３と、フランジ１３の中心軸上に配置されたモータ１１と、モータ１１のシャフト１２の先端に連結固定された羽根１６と、４本のモータ取付足１５を備え、モータ１１を固定する箱状のモータ固定台１４と、を備えている。そして、換気扇Ａは、モータ１１により羽根１６を回転させ、フランジ１３の内側に風を送ることで静圧を確保しつつ送風を行なうことができるようになっている。なお、モータ取付足１５は、外枠１０の四隅に固定されている。
【００１７】
図１に示すように、保護ガード１は、たとえば鋼線やステンレス線で形成された同心円状の複数のリング２と、リング２と同じ材料で形成され、放射状の形状をした複数の縦線４と、を備えている。リング２と縦線４とは互いに交叉し、その交叉部は溶接等により互いに固定されている。リング２の内、最外周に位置するリング２を最外周リング３と称する。ただし、保護ガード１には、換気扇Ａに取り付けられたとき、モータ１１との干渉を避けるため中心部に中央開放部９が設けられている。つまり、最内周に位置するリング２の内側（保護ガード中心側）は、モータ１１の一側端に対応し、縦線４を設けず、そのまま開放している。
【００１８】
なお、保護ガード１の構成材料を鋼線やステンレス線に限定するものではない。また、リング２は、保護ガード１と同じ材料で構成しなくてもよい。さらに、リング２の個数、各リング２の径、縦線４の本数等も、図示しているものに限定するものではない。
【００１９】
最外周リング３は、換気扇Ａの設置施工時の作業性を悪化させないように、モータ取付足１５よりも内側（保護ガード中心側）に入る外径としている。また、保護ガード１は、モータ取付足１５と干渉しないように、リング２及び最外周リング３の一部を分断して形成した開放部８を４つ備えている。さらに、開放部８による強度低下を補うため、保護ガード１には、最外周リング３よりも外側に、開放部８で分断された最外周リング３を連結する補強リング５が設けられている。この補強リング５は、平面視略Ｕ字形状になっており、両端部が最外周リング３の一部に溶接固定され、最外周リング３よりも径方向外側に突出されるようになっている。
【００２０】
また、保護ガード１には、開放部８の上部（保護ガード中心側）には縦線４と直角で交わる方向に高さ（保護ガード中心部までの距離）の異なる２カ所に第１つき当て棒６、第２つき当て棒７が４組設けられている。第１つき当て棒６及び第２つき当て棒７は、それぞれの両端部が縦線４の一部に溶接固定され、いずれも隣接する縦線４を接続するようになっている。さらに、第１つき当て棒６、第２つき当て棒７の両方が溶接固定されている縦線４（図１に示す縦線４Ａ）は、第２つき当て棒７よりも下方の位置で一部が分断されている。つまり、開放部８と第２つき当て棒７とまでが１つの繋がった空間になっている。
【００２１】
図４は、保護ガード１を取り付けた換気扇Ａを示す正面図である。図５は、保護ガード１を取り付けた換気扇Ａを示す側面図である。図４及び図５に基づいて、保護ガード１の換気扇Ａへの取り付けについて説明する。
【００２２】
図４及び図５に示すように、保護ガード１は、開放部８がモータ取付足１５を逃がす角度でモータ１１の上部（正面側）から換気扇Ａに取り付けられる。このとき、モータ取付足１５は、開放部８を介して第１つき当て棒６に接触するまで挿入される。次に、保護ガード１が回転されてモータ取付足１５と第１つき当て棒６との接触が解除され、モータ取付足１５は、縦線４Ａの分断されている空間を介して第２つき当て棒７に接触するまで挿入される。
【００２３】
図６は、保護ガード１の固定金具１７の構成を示す詳細図である。図７は、保護ガード１を固定金具１７を用いて換気扇Ａに固定した状態を示す部分詳細図である。図８は、保護ガード１をモータ外径・高さが大きな換気扇Ａへ取り付けている状態を示す側面図である。図９は、保護ガード１を固定金具１７を用いてモータ外径・高さの大きな換気扇Ａに固定した状態を示す部分詳細図である。図１０は、従来の保護ガードを取り付けた換気扇を示す側面図である。図６〜図９に基づいて、固定金具１７を用いた保護ガード１の換気扇Ａへの取り付けについて説明する。また、図１０は、比較のために使用する。
【００２４】
図６に示すように、固定金具１７は、１本の棒状金具を複数回折り曲げて形成されている。図６では、固定金具１７を詳しく説明するために、各部に名称を付記している。つまり、固定金具１７は、第１折り曲げ部５０ａ、第２折り曲げ部５０ｂ、第３折り曲げ部５０ｃ、第４折り曲げ部５０ｄ、第５折り曲げ部５０ｅ、第６折り曲げ部５０ｆ、第１直線部５１ａ、第２直線部５１ｂ、第３直線部５１ｃ、第４直線部５１ｄ、第５直線部５１ｅ、第６直線部５１ｆ、第７直線部５１ｇ、で構成されている。
【００２５】
第１折り曲げ部５０ａは、固定金具１７となる棒状金具の略中央部を鈍角に折り曲げて形成されている。この第１折り曲げ部５０ａから両端側に延びる部分が、第１直線部５１ａ、第５直線部５１ｅとなる。第２折り曲げ部５０ｂは、第１直線部５１ａの一端部（紙面上側端部）を鋭角に折り曲げて形成されている。この第２折り曲げ部５０ｂから紙面下側に向かって延びる部分が第２直線部５１ｂとなる。第３折り曲げ部５０ｃは、第２直線部５１ｂの一端部（紙面下側端部）を略直角に折り曲げて形成されている。この第３折り曲げ部５０ｃから第１折り曲げ部５０ａ側に向かって延びる部分が第３直線部５１ｃとなる。
【００２６】
第４折り曲げ部５０ｄは、第３直線部５１ｃの一端部（紙面左側端部）を鈍角に折り曲げて形成されている。この第４折り曲げ部５０ｄから第５直線部５１ｅ側に向かって延びる部分が第４直線部５１ｄとなる。第５折り曲げ部５０ｅは、第５直線部５１ｅの一端部（紙面下側端部）を鋭角に折り曲げて形成されている。この第５折り曲げ部５０ｅから所定の距離延びる部分が第６直線部５１ｆとなる。第６折り曲げ部５０ｆは、第６直線部５１ｆの一端部（紙面左側端部）を鈍角に折り曲げて形成されている。この第６折り曲げ部５０ｆから所定の距離延びる部分が第７直線部５１ｇとなる。
【００２７】
このように構成されている固定金具１７を正面視（図６を正面視）したとき、第２折り曲げ部５０ｂ及び第３折り曲げ部５０ｃの少なくともいずれかでひねりが加えられ、第４直線部５１ｄの端部が第５直線部５１ｅの一部に重なるようになっている。また、固定金具１７は、第６折り曲げ部５０ｆでひねりが加えられ、第６直線部５１ｆが紙面奥側に延びるようになっている。
【００２８】
固定金具１７の第３直線部５１ｃ、第４折り曲げ部５０ｄ、第４直線部５１ｄで、第１引っかけ部１８が構成されている。また、固定金具１７の第５折り曲げ部５０ｅ、第６直線部５１ｆ、第６折り曲げ部５０ｆ、第７直線部５１ｇで、第２引っかけ部１９が構成されている。さらに、固定金具１７の、第１直線部５１ａ、第２折り曲げ部５０ｂ、第２直線部５１ｂ、第３折り曲げ部５０ｃ、第３直線部５１ｃで、略三角部２０が構成されている。
【００２９】
そして、モータ取付足１５が保護ガード１の第２つき当て棒７に接触するまで挿入された状態で、図６に示す固定金具１７を用いて保護ガード１を換気扇Ａに取り付ける。まず、図７に示すように、第２引っ掛け部１９をモータ取付足１５の下面（モータ１１を上側、フランジ１３を下側として見た状態における下面）に引っ掛ける。次に、作業者の目の前となる略三角部２０を保護ガード１の第２つき当て棒７にあてがったままの状態で、第２引っ掛け部１９を軸に略三角部２０を回転させる。しばらく回転を継続すると、第１引っ掛け部１８が第２つき当て棒７の上面（モータ１１を上側、フランジ１３を下側として見た状態における上面）の一部に引っ掛かることになる。
【００３０】
こうすることにより、モータ取付足１５と保護ガード１とが、固定金具１７を介して固定金具１７のばね力により固定される。つまり、固定金具１７を用いることで、第１引っ掛け部１８、第２引っ掛け部１９によって、モータ取付足１５と第２つき当て棒７とを２カ所で引っ掛けることができるようになっている。また、固定金具１７には第１引っ掛け部１９が形成されているので、この第１引っ掛け部１９により固定金具１７の外れが防止される（図７参照）。
【００３１】
なお、各折り曲げ部の折り曲げ角度を図示したものに限定するものではなく、モータ取付足１５、第１つき当て棒６、及び、第２つき当て棒７との関係で適宜調整可能にしておくとよい。また、各直線部の長さを図示したものに限定するものではなく、モータ取付足１５、第１つき当て棒６、及び、第２つき当て棒７との関係で適宜調整可能にしておくとよい。さらに、各直線部は、厳密に直線形状になっていることを要求するものではなく、湾曲形状になっていたり、多少の蛇行があったりしても構わない。つまり、第１引っ掛け部１８、第２引っ掛け部１９が形成されるようになっていればよく、形状を図示したものに限定するものではない。
【００３２】
次に、図８及び図９に基づいて、フランジ１３の径、羽根１６の径等は同じであるが、モータブラケット外径が大きく、高さが高い換気扇Ａに保護ガード１を取り付ける場合について説明する。つまり、モータ外径・高さが大きいとは、フランジ１３の径、羽根１６の径等は同じであるが、モータブラケット外径が大きく、高さが高いということを意味している。また、固定金具１７の取り付け方は、第２つき当て棒７を用いて保護ガード１を取り付ける場合と同様である。
【００３３】
図８に示すような換気扇Ａに保護ガード１を取り付ける場合、図９に示すように、第２つき当て棒７ではなく、第１つき当て棒６に第１引っ掛け部１８を引っ掛けて上述と同様に固定する。すなわち、保護ガード１は、第２つき当て棒７よりも低い位置（中央部から離れた位置）に第１つき当て棒６を設けているので、図８に示すような換気扇Ａであっても第１つき当て棒６とモータ取付足１５を固定金具１７に接触させて、換気扇Ａに取り付けることが可能になっている。よって、保護ガード１によれば、保護ガード１の取り付け位置を高くすることで、図８に示すような換気扇Ａでも干渉することなく、換気扇Ａに取り付けることができる。
【００３４】
これに対し、図１０に示すような、従来の保護ガードの換気扇への取り付けについて説明する。なお、図１０においては、実施の形態１と対応する部分には「’」を付記して区別するものとする。図１０では、１つのつき当て棒６’のみを備える保護ガード１’をモータブラケット外径が小さい換気扇Ａ’に取り付けた状態を示している。また、以下の説明では、モータブラケット外径が大きく、高さが高い換気扇Ａ’を換気扇Ａ’１、モータブラケット外径が小さく、高さが低い換気扇Ａ’を換気扇Ａ’２として、便宜的に区別して使用する。
【００３５】
換気扇Ａ’１と、換気扇Ａ’２の両方に保護ガード１’を使用するためには、保護ガード１’の高さは換気扇Ａ’１に合わせて設定せねばならなかった。このような保護ガード１’を換気扇Ａ’２に取り付けると、保護ガード１’とモータ１１’との間に隙間ができてしまうことになる。これは、換気扇Ａ’２を壁面に取り付けたとき、保護ガード１’が換気扇Ａ’２よりも出っ張ることを意味し、周辺設備と干渉する等の問題が発生する可能性が高くなる。
【００３６】
そこで、保護ガード１では、第１つき当て棒６と第２つき当て棒７を形成することによって、同様の固定金具１７を用いてモータ外径の異なる換気扇Ａのいずれにも対応して取り付けられることができるようになっている。そのため、保護ガード１によれば、低コストかつ簡単な構造でモータ外径・高さの異なる換気扇にも共通で使用できることになる。また、保護ガード１によれば、製造コスト削減、客先での選定ミス防止等の効果を奏することにもなる。
【００３７】
実施の形態２．
図１１は、本発明の実施の形態２に係る保護ガード１Ａを説明するための部分詳細図である。図１１に基づいて、実施の形態２に係る保護ガード１Ａについて説明する。保護ガード１Ａは、保護ガード１と同様に、換気扇Ａを保護する機能を有し、鋼線やステンレス線を篭形のカップ状に曲げた構造をもち、固定金具１７により換気扇Ａのモータ取付足１５に着脱可能に取り付けられるものである。なお、実施の形態２では実施の形態１との相違点を中心に説明し、実施の形態１と同一部分には、同一符号を付して説明を省略するものとする。
【００３８】
実施の形態１に係る保護ガード１では、複数のつき当て棒を高さの異なる位置に溶接固定した状態を例に説明したが、実施の形態２に係る保護ガード１Ａでは、１本の鋼線またはステンレス線を階段状に曲げて形成したつき当て棒を高さの異なる位置に溶接固定するようにしている。すなわち、第１つき当て棒６、第２つき当て棒７は、実施の形態１で示したようにそれぞれ別個に形成されてもよいし、実施の形態２で示すように１本の線材を折り曲げて形成されてもよい。なお、図１１では、第３つき当て棒２１として図示している。
【００３９】
実施の形態３．
図１２は、本発明の実施の形態３に係る保護ガード１Ｂを説明するための部分詳細図である。図１２に基づいて、実施の形態３に係る保護ガード１Ｂについて説明する。保護ガード１Ｂは、保護ガード１と同様に、換気扇Ａを保護する機能を有し、鋼線やステンレス線を篭形のカップ状に曲げた構造をもち、固定金具１７により換気扇Ａのモータ取付足１５に着脱可能に取り付けられるものである。なお、実施の形態３では実施の形態１及び２との相違点を中心に説明し、実施の形態１及び２と同一部分には、同一符号を付して説明を省略するものとする。
【００４０】
実施の形態１に係る保護ガード１では、複数のつき当て棒を高さの異なる位置に溶接固定した状態を例に説明したが、実施の形態３に係る保護ガード１Ｂでは、いずれかのつき当て棒（図１２では第２つき当て棒７）をリング２に兼用させるようにしている。このように、つき当て棒のいずれかをリング２で兼用するようにすれば、つき当て棒の取り付けに要する手間や、つき当て棒を形成する費用の低減を図ることができる。なお、第１つき当て棒６をリング２で兼用させるようにしてもよい。ただし、この場合は、第２つき当て棒７に繋がる空間を形成する必要があるので、リング２の一部を切除する必要がある。
【００４１】
実施の形態４．
図１３は、本発明の実施の形態４に係る保護ガード１Ｃの取り付けの一例を説明するための詳細図である。図１４は、保護ガード１Ｃの取り付けの一例を説明するための詳細図である。図１３及び図１４に基づいて、実施の形態４に係る保護ガード１Ｃについて説明する。保護ガード１Ｃは、保護ガード１と同様に、換気扇Ａを保護する機能を有し、鋼線やステンレス線を篭形のカップ状に曲げた構造をもち、固定金具１７により換気扇Ａのモータ取付足１５に着脱可能に取り付けられるものである。なお、実施の形態４では実施の形態１〜３との相違点を中心に説明し、実施の形態１〜３と同一部分には、同一符号を付して説明を省略するものとする。
【００４２】
実施の形態１〜３に係る保護ガードでは、複数のつき当て棒を設けてモータ外径の異なる換気扇Ａのいずれにも対応して取り付けられるようにしたが、実施の形態４に係る保護ガード１Ｃでは、１つのつき当て棒（図１３及び図１４では、第１つき当て棒６を図示している）だけを設けてモータ外径の異なる換気扇Ａのいずれにも対応して取り付けられるようにしている。
【００４３】
モータブラケット外径が大きく、高さが高い換気扇と、モータブラケット外径が小さく、高さが低い換気扇の両方に対応し、保護ガードがモータより大きく飛び出さないためには、実施の形態１で説明したように、つき当て棒を高さが異なる２カ所に備える必要がある。この場合、リング２の加工だけでなく、縦線４の加工も必要になってしまう。そこで、実施の形態４では、縦線４の加工をなくしても、保護ガード１Ｃがモータ外径の異なる換気扇Ａのいずれにも対応して取り付けられるようにしている。
【００４４】
図１３に示すように、モータブラケット外径が大きく、高さが高い換気扇Ａに保護ガード１Ｃを取り付ける場合、第１つき当て棒６と固定金具１７を用いて従来と同様の方法で保護ガード１Ｃを固定すればよい。
【００４５】
図１４に示すように、モータブラケット外径が小さく、高さが低い換気扇Ａに保護ガード１Ｃを取り付ける場合、固定プレート２２を固定ねじ２３によりモータ取付足１５に固定し、固定プレート２２と第１つき当て棒６とを接触させて位置決めし、取り付けることで、保護ガード１Ｃの取り付け位置が見かけ上高くなり、実施の形態１と同様の効果を得ることができる。すなわち、実施の形態４では、複数のつき当て棒を設ける代わりに、固定プレート２２と固定ねじ２３を用いることにより、保護ガードの取り付け高さを調整し、モータ外径の異なる換気扇Ａのいずれにも対応して取り付けられるようにしている。これにより、実施の形態１と同様の効果を得ることができる。
【００４６】
以上、実施の形態１〜４では、保護ガードを中心に説明したが、これらの保護ガードが取り付けられる換気扇Ａによれば、モータ外径、高さによらず保護ガードが取り付けられるので、保護ガードのコストの高騰を招くことなく、簡便に保護ガードの取付作業が実行できることになる。
【符号の説明】
【００４７】
１  換気扇用保護ガード、１Ａ  換気扇用保護ガード、１Ｂ  換気扇用保護ガード、１Ｃ  換気扇用保護ガード、２  リング、３  最外周リング、４  縦線、４Ａ  縦線、５  補強リング、６  第１つき当て棒、７  第２つき当て棒、８  開放部、９  中央開放部、１０  外枠、１１  モータ、１２  シャフト、１３  フランジ、１４  モータ固定台、１５  モータ取付足、１６  羽根、１７  固定金具、１８  第１引っ掛け部、１９  第２引っ掛け部、２０  略三角部、２１  第３つき当て棒、２２  固定プレート、２３  固定ねじ、５０ａ  第１折り曲げ部、５０ｂ  第２折り曲げ部、５０ｃ  第３折り曲げ部、５０ｄ  第４折り曲げ部、５０ｅ  第５折り曲げ部、５０ｆ  第６折り曲げ部、５１ａ  第１直線部、５１ｂ  第２直線部、５１ｃ  第３直線部、５１ｄ  第４直線部、５１ｅ  第５直線部、５１ｆ  第６直線部、５１ｇ  第７直線部、Ａ  換気扇。
【図１】
0005881497.tif 000002
【図２】
0005881497.tif 000003
【図３】
0005881497.tif 000004
【図４】
0005881497.tif 000005
【図５】
0005881497.tif 000006
【図６】
0005881497.tif 000007
【図７】
0005881497.tif 000008
【図８】
0005881497.tif 000009
【図９】
0005881497.tif 000010
【図１０】
0005881497.tif 000011
【図１１】
0005881497.tif 000012
【図１２】
0005881497.tif 000013
【図１３】
0005881497.tif 000014
【図１４】
0005881497.tif 000015